(57)【要約】【課題】湿度調整手段を着脱可能とし、装置の使用環境に応じて使用可能なシート搬送装置及び画像形成装置を提供する。【解決手段】加湿及び除湿が可能な調湿ユニット450と、調湿ユニット450を装着するための装着部と、を有し、調湿ユニット450を前記装着部に対して着脱可能、及び、装着に際して調湿ユニット450がケーシング部材700内を加湿可能な第一装着状態と、ケーシング部材700内を除湿可能な第二装着状態とに装着可能に構成したことを特徴とする。【選択図】図１
2009184766.tif 000002
【特許請求の範囲】
【請求項１】
シート給送手段によりシートを給送するシート給送装置において、
加湿及び除湿が可能な湿度調整手段と、
前記湿度調整手段を装着するための装着部と、
を有し、
前記湿度調整手段を前記装着部に対して着脱可能、及び、装着に際して前記湿度調整手段がケーシング部材内を加湿可能な第一装着状態と、ケーシング部材内を除湿可能な第二装着状態とに装着可能に構成したことを特徴とするシート給送装置。
【請求項２】
前記ケーシング部材内の湿度を検知する湿度検知手段と、
前記湿度調整手段の装着状態を表示する表示部と、
を有し、
前記湿度調整手段が前記第二装着状態に装着され、湿度検知手段により検知した湿度が所定範囲より低いときは、前記表示部に前記湿度調整手段を前記第一装着状態に装着することを促す表示を行い、
前記湿度調整手段が前記第一装着状態に装着され、湿度検知手段により検知した湿度が前記所定範囲よりも高いときは、前記表示部に前記湿度調整手段を前記第二装着状態に装着することを促す表示を行う
ことを特徴とする請求項１記載のシート給送装置。
【請求項３】
前記ケーシング部材はシートを収容するシート収容部であることを特徴とする請求項１又は請求項２に記載のシート給送装置。
【請求項４】
前記湿度調整手段は、固体高分子電解膜の両側に設けられた第一多孔性電極と第二多孔性電極を有し、前記第一多孔性電極と第二多孔性電極に各々異極の電圧が印加されるものであり、
前記第一装着状態は、ケーシング部材の内側に前記第一多孔性電極、外側に前記第二多孔性電極が位置する装着状態であり、
前記第二装着状態は、ケーシング部材の内側に前記第二多孔性電極、外側に前記第一多孔性電極が位置する装着状態である
ことを特徴とする請求項１乃至請求項３のいずれか１項に記載のシート給送装置。
【請求項５】
シートを給送して画像形成する画像形成装置において、
シートを給送する請求項１乃至請求項４のいずれか１項に記載のシート給送装置と、
給送されたシートに画像を形成する画像形成手段と、
を有することを特徴とする画像形成装置。
【請求項６】
シート給送手段によりシートを給送し、給送されたシートに画像形成手段により画像形成する画像形成装置において、
加湿及び除湿が可能な湿度調整手段と、
前記湿度調整手段を装着するための装着部と、
を有し、
前記湿度調整手段を前記装着部に対して着脱可能、及び、装着に際して前記湿度調整手段がケーシング部材内を加湿可能な第一装着状態と、ケーシング部材内を除湿可能な第二装着状態とに装着可能に構成したことを特徴とする画像形成装置。
【請求項７】
前記ケーシング部材内の湿度を検知する湿度検知手段と、
前記湿度調整手段の装着状態を表示する表示部と、
を有し、
前記湿度調整手段が前記第二装着状態に装着され、湿度検知手段により検知した湿度が所定範囲より低いときは、前記表示部に前記湿度調整手段を前記第一装着状態に装着することを促す表示を行い、
前記湿度調整手段が前記第一装着状態に装着され、湿度検知手段により検知した湿度が前記所定範囲よりも高いときは、前記表示部に前記湿度調整手段を前記第二装着状態に装着することを促す表示を行う
ことを特徴とする請求項６記載の画像形成装置。
【請求項８】
前記ケーシング部材はシートを収容するシート収容部であることを特徴とする請求項６又は請求項７に記載の画像形成装置。
【請求項９】
前記湿度調整手段は、固体高分子電解膜の両側に設けられた第一多孔性電極と第二多孔性電極を有し、前記第一多孔性電極と第二多孔性電極に各々異極の電圧が印加されるものであり、
前記第一装着状態は、ケーシング部材の内側に前記第一多孔性電極、外側に前記第二多孔性電極が位置する装着状態であり、
前記第二装着状態は、ケーシング部材の内側に前記第二多孔性電極、外側に前記第一多孔性電極が位置する装着状態である
ことを特徴とする請求項６乃至請求項８のいずれか１項に記載の画像形成装置。
【発明の詳細な説明】
【技術分野】
【０００１】
本発明は、ケーシング部材内の湿度を調整し得るシート給送装置及び画像形成装置に関する。
【背景技術】
【０００２】
従来、カラー複写機やカラープリント等の画像形成装置には、感光体上に形成されたトナー画像を転写位置でシート上に転写するために、所定の大きさにカットされたシートを前記転写位置へと給送するシート給送装置が備えられている。
【０００３】
シート給送装置に収納されているシートは、低湿状態におかれていると、搬送時に静電気による重送が発生し易くなる。一方、シートが高湿状態におかれていると、腰が弱くなって不送りが発生し易くなる。特に、光沢を持っているコート紙は、コート面と非コート面のシートの水分吸収量と放出量が異なるため、シートにカールが発生し易く、カールが発生したシートに対して不送りが発生し易くなる。
【０００４】
したがって、シート給送装置においては、湿度が適正範囲に維持されていることが望ましい。なお、シート給送装置における適正範囲の湿度とは、静電気の影響による重送や湿気の影響による不送りが発生しない範囲の湿度である。
【０００５】
このようなことから、特開２００４−２５２０５６号のように、画像形成装置内の湿度を適正範囲内に維持しようとする発明が提案がされている（特許文献１）。
【０００６】
上記特許文献１の発明は、ケーシング部材に配置された固体高分子電解膜を挟んで配置されている第一多孔性電極と第二多孔性電極との間に直流電圧を印加する。このとき、固体高分子電解膜における陽極の電圧が印加される多孔性電極側では除湿が行われ、固体高分子電解膜における陰極の電圧が印加される多孔性電極側では加湿が行われる。
【０００７】
そして、ケーシング部材内の湿度を湿度センサで検知し、その検知結果に応じた制御部からの制御により、第一多孔性電極と第二多孔性電極との間への電圧印加の断続、印加する電圧の極性の切替を行う。これにより、ケーシング部材内の加湿又は除湿を行う。一方、湿度センサが検知したケーシング部材内の湿度が適正範囲内であれば電圧印加は停止する。
【０００８】
【特許文献１】特開２００４−２５２０５６号公報
【発明の開示】
【発明が解決しようとする課題】
【０００９】
しかしながら、上記のように湿度調整機構を設けたシート給送装置が調湿された環境下で使用された場合、特に、調湿された環境が適正範囲内にあるときは調湿のための電圧印加は停止される。このため、ケーシング部材内では、加湿、除湿のいずれも行われない。
【００１０】
すなわち、環境が適正範囲内にあった場合は、湿度を適正範囲内に保つ機能を持っていても、その機能が使われない。そのため、調湿機能が装備されていない装置でも、同等の性能と同じということになる。
【００１１】
従って、調湿された環境下に配置されて使用される製品にとって、調湿機能は過剰仕様となり、特に低価格設定の製品にとって、不利な傾向にある。
【００１２】
また、画像形成装置が設置される環境として、高湿環境と低湿環境が頻繁に交互に繰り返すことは稀である。そして、前記稀な環境のために、第一多孔性電極と第二多孔性電極との間への電圧印加の断続、印加する電圧の極性の切替を行なう制御回路を常備することも、低価格設定の製品にとっては、不利な傾向にある。
【００１３】
本発明は上記点に鑑みてなされたものであり、その目的は、湿度調整手段を着脱可能とし、装置の使用環境に応じて使用可能なシート搬送装置及び画像形成装置を提供するものである。
【課題を解決するための手段】
【００１４】
上記課題を解決するための本発明における代表的な手段は、シート給送手段によりシートを給送するシート給送装置において、加湿及び除湿が可能な湿度調整手段と、前記湿度調整手段を装着するための装着部と、を有し、前記湿度調整手段を前記装着部に対して着脱可能、及び、装着に際して前記湿度調整手段がケーシング部材内を加湿可能な第一装着状態と、ケーシング部材内を除湿可能な第二装着状態とに装着可能に構成したことを特徴とする。
【発明の効果】
【００１５】
本発明にあっては、湿度調整手段を装置に対して脱着可能にしているため、装置設置環境の湿度に応じて湿度調整手段を加湿可能状態、除湿可能状態に入れ替えることが可能となり、湿度環境によるシート給送不良を低減することが可能となる。また、装置の設置環境の湿度が所定範囲内であれば、湿度調整手段を装置に設置しなくてもよいため、低コストな装置を提供することができる。
【発明を実施するための最良の形態】
【００１６】
〔第１実施形態〕
次に本発明の一実施形態に係るシート給送装置を備えた画像形成装置について、図面を参照して画像形成動作とともに具体的に説明する。
【００１７】
［画像形成装置］
図１に示す装置は、シート上に画像を形成する画像形成装置を示している。同図において、この画像形成装置は、プリンタ本体Ａと、プリンタ本体Ａの上面に配されたスキャナＢ、プリンタ本体Ａにシートを給送するシート給送装置Ｃとを備えている。ここで、画像形成装置の全体構成について、画像形成動作とともに説明する。
【００１８】
原稿を読み取るスキャナＢは、走査光学系光源201、プラテンガラス202、開閉する原稿圧板203、レンズ204、受光素子（光電変換）205を備えている。さらに、スキャナＢは、画像処理部206、画像処理部206で処理された画像処理信号を記憶しておくためのメモリ部208等を備えている。
【００１９】
そして、原稿を読み取る際には、プラテンガラス202の上に載置された不図示の原稿に走査光学系光源201によって光を照射し、その反射光をレンズ204、受光素子205を介して読み取る。そして、読み取った原稿像は画像処理部206により処理された後、電気的に符号化された電気信号207に変換されて作像手段たるレーザスキャナ111に伝送される。
【００２０】
プリンタ本体Ａは、本体下部に設けられたシート給送装置３により給送されたシートＳを画像形成手段400に搬送するシート搬送部500と、プリンタＡを制御するための制御手段たる制御部120等を備えている。
【００２１】
シート搬送部500は、レジスト前ローラ対130及びレジストローラ対110を有するレジストローラ部とを備えている。シート給送装置３から給送されたシートＳはガイド板によって構成されるシート搬送路109を通過した後、ガイド板によって案内され、レジスト前ローラ対130を通過後、レジストローラ対110に導かれるようになっている。その後、シートＳは、レジストローラ対110に一旦突き当てられ、シート給送搬送時に発生する斜行を矯正された後、画像形成手段400に搬送される。
【００２２】
画像形成手段400は、感光ドラム112、レーザスキャナ111、現像器114、転写帯電器115、分離帯電器116等を備えている。画像形成の際には、レーザスキャナ111からのレーザ光がミラー113によって折り返されて図１の時計回り方向に回転する感光ドラム112上の露光位置112ａに照射されることにより、感光ドラム112上に潜像が形成される。
【００２３】
さらに上記のようにして感光ドラム112上に形成された潜像は、この後、現像器114によってトナー像として顕像化される。
【００２４】
なお、前記感光ドラム上に形成されたトナー像は、転写部112ｂにおいて、転写帯電器115によりシートＳに転写される。さらに、このようにトナー像が転写されたシートＳは、分離帯電器116により感光ドラム112から静電分離された後、搬送ベルト117により定着装置118に搬送されてトナー像の定着が行われ、この後、排出ローラ119によって排出される。
【００２５】
なお、スキャナＢの画像処理部206の処理信号を、他のＦＡＸに送信すれば、ＦＡＸとして機能する。また、スキャナＢにおいて、圧板203に変わって二点鎖線で示すような原稿自動送り装置250を装着するようにすれば、原稿を自動的に読み取ることもできる。
【００２６】
［シート給送装置］
次にシート給送装置の構成について説明する。なお、本実施形態の画像形成装置はプリンタ本体Ａ内にシート給送装置３が設けられ、またプリンタ本体Ａに対して外付けでシート給送装置Ｃが取り付けられている。両者の構成は基本的には同一である。そのため、ここではプリンタ本体Ａのシート給送装置３の構成について説明をする。
【００２７】
シート給送装置３は、シートＳをベルト102や引抜きローラ対10、搬送ローラ対11等のシート給送手段により画像形成部へ給送するものである。このシート給送装置３はシートＳを積層して収容しているシート収容部103を備えており、これに積層収容されたシートＳの搬送方向の後端側には後端規制板104が備えられている。この後端規制板104はセットするシートＳのサイズに応じて移動し、シートの先端側が、シート収容部103の搬送方向先端側にそろえられるように、シートの後端側を規制している。
【００２８】
シート収容部103に積層してセットされたシートは、画像形成に際してシート分離給送部107によって１枚ずつ分離して給送される。本実施形態のシート分離給送部107は、図２に示すように、エア分離給送機構を用いている。
【００２９】
具体的には、図２に示すように、シート収容部103内のシートは、シート分離給送部107において、給送前動作として捌きファンＦ151が回転し、捌きノズル151から積層されたシートの上部側面付近にエアを吹き出してシートＳの上部近傍を捌く。この状態で、制御部120から、給送開始信号が発信されると、多数の孔が穿孔された吸引ベルト102内は吸引ファンＦ150が駆動すると負圧が発生し、吸引ベルト102に最上位のシートが吸引される。
【００３０】
その後、吸引ベルト102は、１枚のシートが貼りついた状態で吸引ベルトモータにより回転が開始され、シートが給送される。そして、シートの先端がベルトプーリ部に達すると、シート先端部は、吸引ファンＦ150による吸引力から開放され、吸引ベルト102から離れて、引抜きローラ対10に受け渡される。シートＳの先端が引抜きローラ対10に到達すると、吸引ファンＦ105による負圧が開放されることによりシートが吸引ベルト102への吸引力から開放され、引抜きローラ対10の搬送力によってのみ搬送される。そして、シートの後端が、吸引ベルト部から抜けた後、再び、制御部から給送開始信号が発信されると、前記給送動作が開始され、次のシートが分離給送される。
【００３１】
ここで、給送開始信号が発信される前に給送前動作として、捌きファンＦ151を動作させているが、給送開始信号が発信された後に、捌きファンＦ151を動作させるように制御しても構わない。
【００３２】
［湿度調整手段］
上記シート給送装置３でシートを分離給送するときに、装置内の湿度によってはシートの重送や不送りが発生し易くなることがあるのは前述したとおりである。したがって、装置本体内の湿度が重送等を発生しない適正範囲にあるようにする必要がある。そのため本実施形態にあっては、装置本体内の湿度を適正範囲に維持するための湿度調整手段が設けられている。なお、本実施形態ではプリンタ本体Ａとシート給送装置Ｃの両方に湿度調整手段が設けられているが、構成は同一であるため、ここではプリンタ本体Ａに設けられた湿度調整手段を例示して説明する。
【００３３】
図１に示すように、湿度調整手段としての調湿ユニット450は、プリンタ本体Ａの外装で構成されたケーシング部材700に取り付けられている。この調湿ユニット450は、図３に示すように、固体高分子電解膜を挟んで配置されている第一多孔性電極450ａと第二多孔性電極450ｂとの間に直流電圧を印加することで加湿又は除湿するものである。すなわち、陽極の電圧が印加された多孔性電極側の領域では、水分子（Ｈ２Ｏ）が水素イオン（Ｈ＋）と酸素（Ｏ２）と電子（ｅ−）とに分解される。水素イオンは固体高分子電解膜を通過して陰極の電圧が印加された多孔性電極側へ移動し、その多孔性電極に対向する領域において酸素と結合して水が生成される。すなわち、固体高分子電解膜における陽極の電圧が印加される多孔性電極側では除湿が行われ、固体高分子電解膜における陰極の電圧が印加される多孔性電極側では加湿が行われる。
【００３４】
また、ケーシング部材700の内部であって、シート給送装置３の近傍には湿度を検知するための湿度検知手段である湿度センサ451が配置されている。この湿度センサ451により検知したシート給送装置近傍の湿度に応じて、制御部からの制御によって第一多孔性電極450ａと第二多孔性電極450ｂとの間への電圧印加を行うことでケーシング部材700内の加湿又は除湿を行うものである。
【００３５】
ここで、調湿ユニット450のケーシング部材700への取り付け構成について、図３及び図４を参照して説明する。
【００３６】
図３に示すように、２個直線状に配置された凸端子601と凸端子602は、調湿ユニット450の固体高分子電解膜の両側に設けられた第一多孔性電極450ａと第二多孔性電極450ｂに電圧を印加するための凸端子である。凸端子601は第一多孔性電極450ａに接続され、凸端子602は第二多孔性電極450ｂに接続されている。例えば、一方の凸端子601に陽極の電圧、他方の凸端子602に陰極の電圧を印加することで、第一多孔性電極450ａが除湿側（図３(a)）、第二多孔性電極450ｂが加湿側（図３(b)）になる。
【００３７】
また、調湿ユニット450の下辺の中心からずれた位置にはフラグ603が下側に突出するように設けられている。
【００３８】
調湿ユニット450の上部に記載してある矢印は、加湿側、除湿側の区別が識別できるように刻印されている。図３では、除湿側に矢印の矢が向くようにされているが、識別の方法はこれに拠らず、矢印に限定する必要はない。
【００３９】
図４は、プリンタ本体Ａのケーシング部材700に形成された調湿ユニット450を装着するための装着部を示している。なお、図４では（Ａ）側が装置内部、（Ｂ）側が装置外部を示している。
【００４０】
図４に示すように、装着部701はケーシング部材700に調湿ユニット450を取り付けるための切り欠として形成され、切り欠きの左右縁部には凸部630が形成されている。この凸部630は、図３に示す調湿ユニット450の凹部604が対応して嵌るようになっており、図３(a)の向きでも、図３(b)のどちらの向きでも嵌ることができる。
【００４１】
したがって、調湿ユニット450は装着部701に対して着脱可能であり、装着に際しては第一装着状態と第二装着状態とに装着可能となっている。
【００４２】
ここで、図３(a)に示すように、第一多孔性電極450ａがケーシング部材700の外側を向き、第二多孔性電極450ｂが内側を向いた状態（第一装着状態）では装置内部を加湿可能な状態となる。一方、図３(b)に示すように、第二多孔性電極450ｂがケーシング部材700の外側を向き、第一多孔性電極450ａが内側を向いた状態（第二装着状態）装置内部を除湿可能な状態となる。
【００４３】
図４に示すように、装着部701の切り欠き下辺には、ユニット検知センサ452（452ａ，452ｂ）が設けられている。このユニット検知センサ452は、調湿ユニット450が装着されているか、また装着されているときは第一装着状態または第二装着状態のいずれかの装着状態を検知する。ユニット検知センサ452ａ，452ｂは、調湿ユニット450を装着部701に装着したときに、フラグ603が挿入される位置に設けられている。例えば、調湿ユニット450を図３(a)に示す第一装着状態に装着した場合は、フラグ603がユニット検知センサ452ｂに挿入される。一方、、調湿ユニット450が図３(b)に示す第二装着状態に装着された場合は、フラグ603がユニット検知センサ452ａに挿入される。
【００４４】
このユニット検知センサ452により、装置内部が加湿側になるように調湿ユニット450が装着されたのか、装置内部が除湿側になるように調湿ユニット450が装着されたのか、判断することができる。なお、ユニット検知センサ452はフォトインタラプタのような光学センサでも、マイクロスイッチでも検知手段として使用するデバイスに制限なく何でも良い。
【００４５】
また、装着部701の切り欠き下辺には４個の凹端子610，611，620，621が直線状に配置されている。そして、調湿ユニット450を図３(a)に示す第一装着状態に装着した場合は、調湿ユニット450の凸端子601，602が前記凹端子610，611に嵌合する。一方、調湿ユニット450が図３(b)に示す第二装着状態に装着した場合は、調湿ユニット450の凸端子601，602が前記凹端子620，621に嵌合する。
【００４６】
そして、前記凹端子610と凹端子620は、同一極性の電圧が印加され、凹端子611と凹端子621は、凹端子610と凹端子620とは異極の電圧が印加される。本実施形態の場合は、例えば、凹端子610と凹端子620に陽極の電圧が印加されており、凹端子611と凹端子621には、陰極の電圧が印加されている。
【００４７】
このように構成することで、調湿ユニット450の一方の凸端子601には陽極の電圧、他方の凸端子602には陰極の電圧が必ず印加されるようになっている。
【００４８】
図３(c)は、調湿ユニット450を装着部701に装着しないときに、調湿ユニット450に代えて嵌めこむことができる単なる仕切り板460である。調湿ユニット450が必要ない場合には、この仕切り板460を設置しておく。この仕切り板460には、ユニット検知センサ452を検知するフラグがないので、ユニット検知センサ452は調湿ユニット450が設置されていないことを検知することができる。
【００４９】
なお、本実施形態では凸部と凹部を組み合わせることで、調湿ユニットを設置できるように構成したが、装着するための構成はこれに限ったことではなく、マグネットを利用しても良いし、何でも良い。
【００５０】
上記調湿ユニット450は、図５に示すように、制御部120によって動作が制御される。この制御部120は画像形成やシート搬送の駆動制御を行うが、さらに湿度センサ451やユニット検知センサ452からの信号を入力し、その検知結果に基づいて調湿ユニット450を駆動し、また表示部800に所定の表示を行うように制御する。
【００５１】
制御部120は、ＣＰＵ、ＲＯＭ、ＲＡＭ、通信インターフェイス（Ｉ／Ｆ）、入出力ポート等で構成され、ＲＯＭに格納された制御プログラムの内容に従って、入出力ポートを介して順次入出力の制御を行い、画像形成処理を実行する。
【００５２】
次に図６のフローチャートを用いて、調湿ユニット450の動作及び表示部への表示について説明する。
【００５３】
図示しない電源がＯＮされて、プリンタ本体Ａがスタンバイ、もしくは、作像動作が可能な状態になると（Ｓ１）、制御部120は湿度センサ451の湿度を検知する（Ｓ２）。このとき、湿度が所定範囲内にあると判断すると調湿制御をＯＦＦし、凹端子610，611，620，621の印加電圧を遮断する（Ｓ３）。そして、Ｓ２に戻り、湿度センサ451の湿度を検知する。なお、ここで、所定範囲の湿度とは、静電気の影響によるシートの重送や湿気の影響によるシートの不送りが発生しない範囲の湿度であり、予め設定されている。
【００５４】
前記Ｓ２の判定で、湿度が所定範囲外であると判断され、その湿度が所定範囲よりも低湿側の時はレジスタＸに１を代入する。一方、湿度が所定範囲よりも高湿側の時はレジスタＸに２を代入する（Ｓ５）。
【００５５】
このとき、調湿ユニット450が設置されているかをユニット検知センサ452から判断し（Ｓ６）、仕切り板460が設置されていると判断された場合には、表示部800に調湿ユニット450を設定することを促す表示を行なう（Ｓ10）。
【００５６】
Ｓ６にて、調湿ユニット450がセットされていることを認識し、且つ、レジスタＸに１がセットされた低湿状態にあった場合（Ｓ７）、ユニット検知センサ452から調湿ユニット450が加湿側にセットされているかを判断する（Ｓ８）。もし、加湿側にセットされていれば、凹端子610，611，620，621に所定の電圧を印加して調湿制御を行なう（Ｓ９）。
【００５７】
Ｓ８にて、加湿側にセットされていないと判断された場合には、加湿側に調湿ユニット450をセットするように促す表示を表示部800に表示する（Ｓ11）。
【００５８】
一方、Ｓ７の判断で、レジスタＸに２がセットされた高湿状態にあった場合、ユニット検知センサ452から調湿ユニット450が除湿側にセットされているかを判断する（Ｓ12）。もし、除湿側にセットされていれば、凹端子610，611，620，621に所定の電圧を印加して調湿制御を行なう（Ｓ９）。Ｓ12にて、除湿側にセットされていないと判断された場合には、除湿側に調湿ユニット450をセットするように促す表示を表示部800に表示する（Ｓ13）。
【００５９】
上記のように、本実施形態にあっては、調湿ユニット450を装置に対して脱着可能にしているため、装置設置環境の湿度に応じて湿度調整手段を加湿可能状態、除湿可能状態に入れ替えることで湿度環境によるシート給送不良を低減することが可能である。また、低湿環境のときに加湿可能状態でセットされていないとき、逆に高湿環境のときに除湿可能状態にセットされていないときは、表示部に装着状態の変更を促す表示をすることで使用者に注意を促す。
【００６０】
また、装置の設置環境の湿度が適正な所定範囲内であれば、調湿ユニット450を装置に設置しなくてもよいため、低コストな装置を提供することができる。
【００６１】
なお、前述した説明ではプリンタ本体Ａの装置本体内を加湿又は除湿する例を示した。しかし、本実施形態にあってはシート給送装置Ｃの装置本体内も加湿又は除湿可能となるようにプリンタ本体Ａに設けられた調湿ユニットと同様な調湿ユニットが設けられている。
【００６２】
なお、図１においては、シート給送装置Ｃに設けられた調湿ユニットについて、プリンタ本体Ａに設けた調湿ユニットと同一符号を付している。
【００６３】
図１に示すように、シート給送装置Ｃもプリンタ本体Ａ内のシート給送装置３と同様に構成され、シート収容部103に積載収容されたシートＳはシート分離給送部107によって１枚ずつ分離されるとともに、吸引ベルト102によって給送される。そして、そのシートは引抜きローラ対10、搬送ローラ対11，12，13，14，15，16によってプリンタ本体Ａのシート搬送路109へと搬送される。
【００６４】
上記シート給送装置Ｃにあっても、シート給送装置Ｃの外装で構成されたケーシング部材700に湿度センサ451、ユニット検知センサ452、調湿ユニット450等が設けられ、前述したプリンタ本体Ａに設けた湿度調整構成と同様に構成されている。
【００６５】
これにより、シート給送装置Ｃの装置本体内にあっても、湿度が適正に維持されシートの重送や不送りの発生が抑制される。また、調湿ユニット450の装着状態が装置内湿度と適合していないときは、適合した装着状態に装着するように表示部に表示される。
【００６６】
〔第２実施形態〕
次に第２実施形態に係る装置について、図８を参照して説明する。なお、本実施形態の装置の基本構成は前述した実施形態と同一であるため重複する説明は省略し、ここでは第１実施形態と異なる構成についてのみ説明する。また、前述した実施形態と同一機能を有する部材には同一符号を付す。
【００６７】
前述した実施形態では湿度調整をするケーシング部材としてプリンタ本体Ａ及びシート給送装置Ｃの外装を例示し、プリンタ本体Ａの装置本体内、シート給送装置Ｃの装置本体内の湿度を検知して湿度調整する例を示した。
【００６８】
本実施形態では湿度調整をするケーシング部材は、図７に示すように、シートを収容するシート収容部103である。
【００６９】
すなわち、シート収容部103に調湿ユニット450の装着部を設け、これに調湿ユニット450を着脱可能に装着している。なお、調湿ユニット450の構成や装着部の構成は前述した実施形態と同様であり、動作も同様である。
【００７０】
本実施形態にあっては、シートが積層収容されているシート収容部103内の湿度に応じて調湿ユニット450を動作させ、また調湿ユニット450の装着状態がシート収容部内湿度と適合していないときは、適合した装着状態に装着するように表示部に表示する。これにより、湿度の影響を受けやすいシートの湿度管理をより的確に行うことができ、シートの重送や不送りの発生をより抑制することができる。
【図面の簡単な説明】
【００７１】
【図１】画像形成装置の全体断面説明図である。
【図２】シート分離給送構成の説明図である。
【図３】調湿ユニットの説明図である。
【図４】調湿ユニットを装着する装着部の説明図である。
【図５】調湿制御部のブロック図である。
【図６】調湿手順を示すフローチャートである。
【図７】第２実施形態に係る画像形成装置の全体断面説明図である。
【符号の説明】
【００７２】
Ａ    …プリンタ本体
Ｂ    …スキャナ
Ｃ    …シート給送装置
Ｓ    …シート
３    …シート給送装置
10    …引抜きローラ対
11，12 …搬送ローラ対
102   …吸引ベルト
103   …シート収容部
104   …後端規制板
107   …シート分離給送部
109   …シート搬送路
110   …レジストローラ対
112   …感光ドラム
118   …定着装置
120   …制御部
201   …走査光学系光源
250   …原稿自動送り装置
400   …画像形成手段
450   …調湿ユニット
450ａ …第一多孔性電極
450ｂ …第二多孔性電極
451   …湿度センサ
452   …ユニット検知センサ
452ａ，452ｂ …ユニット検知センサ
460   …仕切り板
500   …シート搬送部
601，602 …凸端子
603   …フラグ
604   …凹部
610，611，620，621 …凹端子
630   …凸部
700   …ケーシング部材
701   …装着部
800   …表示部
【図１】
2009184766.tif 000003
【図２】
2009184766.tif 000004
【図３】
2009184766.tif 000005
【図４】
2009184766.tif 000006
【図５】
2009184766.tif 000007
【図６】
2009184766.tif 000008
【図７】
2009184766.tif 000009